(57)【要約】 【課題】  ハーネスの導線露出部分がヨークと接触することを防止することが可能なスピーカ装置を提供する。【解決手段】  スピーカ装置は、例えばマグネット及びプレートとともに磁気回路を構成する円筒形状のヨークを備える。ヨークの外側には、絶縁体よりなるフレームがヨークの上端部から底部へ向かう方向に設けられる。また、フレームには、ボイスコイルなどに音声信号を供給するための端子などの接続部が形成されており、接続部には外部のアンプなどに接続されたハーネスが例えば半田付けにより接続される。接続部との接続のためには、ハーネスの先端部の絶縁体を除去し、導線を露出させて半田付けを行うが、スピーカ装置が比較的小型である場合、導線を露出した部分が金属製のヨークと接触しやすい。接続部と接続されるハーネスがヨークと接触することを妨げるようにフレームを設けることにより、ハーネスの導線を露出した部分がヨークと接触して電気的なショートが生じることを防止する。【選択図】      図２
2005159804.tif 000002
【特許請求の範囲】
【請求項１】
底部及び前記底部に垂直方向に延びる円筒状壁部を備えるヨークと、
前記底部と反対側の上端部から前記底部に向かって延在するように前記円筒状壁部の外側に取り付けられた、絶縁体よりなるフレームと、を備え、
前記フレームは、当該フレームに設けられた接続部に接続されるハーネスが前記ヨークと接触するのを妨げるように設けられていることを特徴とするスピーカ装置。
【請求項２】
前記フレームは、当該フレームの少なくとも一部が、前記フレームに設けられた接続部に接続されるハーネスと前記ヨークとの間に介在する形状を有することを特徴とする請求項１に記載のスピーカ装置。
【請求項３】
前記ヨークの底部側における前記フレームの端部は前記ヨークの底部より下方へ延びていることを特徴とする請求項１又は２に記載のスピーカ装置。
【請求項４】
前記ヨークの底部側における前記フレームの端部は、前記ヨークが存在する内側に向かって形成された切断面を有することを特徴とする請求項３に記載のスピーカ装置。
【請求項５】
前記ヨークの底部側における前記フレームの端部は、少なくとも前記ハーネスと対向する周方向の領域において前記ヨークの底部より下方へ延びていることを特徴とする請求項１又は２に記載のスピーカ装置。
【請求項６】
前記ヨークの底部側における前記フレームの端部は、少なくとも接続部が存在する周方向の領域において前記ヨークの底部より下方へ延びていることを特徴とする請求項１又は２に記載のスピーカ装置。
【発明の詳細な説明】
【技術分野】
【０００１】
本発明は、スピーカ装置に関する。
【背景技術】
【０００２】
一般的に、小型のスピーカ装置やツィーターにおいては、スピーカ装置を駆動するための音声信号を供給するワイヤーハーネス（以下、単に「ハーネス」と呼ぶ）と、そのハーネスが接続される端子とが近接して構成されることが多い。そのため、スピーカ装置の端子にハーネスの先端の導線の露出部を半田付けした場合、導線の露出部と、例えばヨークなどのスピーカの金属部分とが接触し、電気的にショートしてしまう恐れがあった。なお、特許文献１や特許文献２などに小型のスピーカ装置やツィーターに関する技術が開示されている。
【０００３】
【特許文献１】特開平７−２２２２８２号公報
【特許文献２】特開平８−１３２９７７号公報
【発明の開示】
【発明が解決しようとする課題】
【０００４】
本発明が解決しようとする課題は、上記のようなものが一例として挙げられる。本発明は、ハーネスの導線露出部分がヨークと接触することを防止することが可能なスピーカ装置を提供することを課題とする。
【課題を解決するための手段】
【０００５】
請求項１に記載の発明によれば、スピーカ装置は、底部及び前記底部に垂直方向に延びる円筒状壁部を備えるヨークと、前記底部と反対側の上端部から前記底部に向かって延在するように前記円筒状壁部の外側に取り付けられた、絶縁体よりなるフレームと、を備え、前記フレームは、当該フレームに設けられた接続部に接続されるハーネスが前記ヨークと接触するのを妨げるように設けられていることを特徴とする。
【発明を実施するための最良の形態】
【０００６】
本発明の好適な実施形態では、スピーカ装置は、底部及び前記底部に垂直方向に延びる円筒状壁部を備えるヨークと、前記底部と反対側の上端部から前記底部に向かって延在するように前記円筒状壁部の外側に取り付けられた、絶縁体よりなるフレームと、を備え、前記フレームは、当該フレームに設けられた接続部に接続されるハーネスが前記ヨークと接触するのを妨げるように設けられている。
【０００７】
上記のスピーカ装置は、例えばマグネット及びプレートとともに磁気回路を構成する円筒形状のヨークを備える。ヨークの外側には、絶縁体よりなるフレームがヨークの上端部から底部へ向かう方向に設けられる。また、フレームには、ボイスコイルなどに音声信号を供給するための端子などの接続部が形成されており、接続部には外部のアンプなどに接続されたハーネスが例えば半田付けにより接続される。接続部との接続のためには、ハーネスの先端部の絶縁体を除去し、導線を露出させて半田付けを行うが、スピーカ装置が比較的小型である場合、導線を露出した部分が金属製のヨークと接触しやすい。上記のスピーカ装置では、接続部と接続されるハーネスがヨークと接触することを妨げるようにフレームが設けられている。よって、ハーネスの導線を露出した部分がヨークと接触して電気的なショートが生じることが防止できる。
【０００８】
上記のスピーカ装置の一態様では、前記フレームは、当該フレームの少なくとも一部が、前記フレームに設けられた接続部に接続されるハーネスと前記ヨークとの間に介在する形状を有する。これにより、ハーネスがヨークと直接的に接触することがないので、両者間の電気的ショートが確実に防止できる。
【０００９】
１つの好適な例では、前記ヨークの底部側における前記フレームの端部は前記ヨークの底部より下方へ延びている。これにより、ハーネスとヨークの間に常にフレームを介在させることができる。また、前記ヨークの底部側における前記フレームの端部に、前記ヨークが存在する内側に向かって形成された切断面を設けることができる。これにより、フレームにヨークを収容する作業が容易になるとともに、ハーネスとヨークとの間隔を確保することができる。
【００１０】
他の好適な例では、前記ヨークの底部側における前記フレームの端部は、少なくとも前記ハーネスと対向する周方向の領域において、又は、少なくとも接続部が存在する周方向の領域において、前記ヨークの底部より下方へ延びている。これにより、ヨークの周囲において、少なくともヨークの回りにハーネスが存在する領域ではハーネスとヨークの間にフレームが介在することとなるので、両者の導通を確実に防止することができる。
【実施例】
【００１１】
以下、図面を参照して本発明の好適な実施例について説明する。
【００１２】
図１に本発明に係るスピーカ装置１の概略構成図を示す。なお、以下で説明するスピーカ装置１は、ツィーターなどの小型スピーカ装置であるものとする。
【００１３】
図１（ａ）はスピーカ装置１の真上から見た平面図を示し、図１（ｂ）はスピーカ装置１の側面図を示し、図１（ｃ）はスピーカ装置の底面図を示す。図示のようにスピーカ装置１は、主に、上部フレーム２と、振動板３と、下部フレーム４と、ヨーク８とを備える。
【００１４】
上部フレーム２の上部には、周方向にアーム２ａが形成されており、ドーム形状になっている。上部フレーム２には、ドーム形状に形成された振動板３などが組み込まれる。また、上部フレーム２は絶縁体の材料で作製され、例えば樹脂材料で射出成型にて製作することができる。上部フレーム２の下方には下部フレーム４が固定される。なお、本発明のスピーカ装置１は、ドーム型の形状を有するものに適用を限定しない。
【００１５】
下部フレーム４は、上部フレーム２の下方に固定され、略円筒型の形状である。下部フレーム４の内部空間には、図１（ｂ）の下方から磁気回路を構成するヨーク８が装着される。さらに、下部フレーム４内には、図示しないボイスコイルなども収容される。このボイスコイルには、下部フレーム４の側面に設けられた２つの端子６を介してアンプなどから音声信号に対応する音声電流が供給される。スピーカ装置１は、アンプなどからボイスコイルに供給される音声電流と、上記の磁気回路が発生している磁界とによって駆動力を発生する。そして、この駆動力によって振動板３を振動させて音を発生する。なお、下部フレーム４も絶縁体の材料で作製され、例えば樹脂材料を用いて射出成型により製作することができる。
【００１６】
また、端子６は金属材料で構成される。この端子６の中央部分にハーネス１７の導線を挿入して絡ませ、半田付けにて端子６とハーネス１７とを固定する。
【００１７】
次に、上記したヨーク８の詳細について図２を用いて説明する。図２（ａ）は、下部フレーム４、ヨーク８、プレート１０及びマグネット１２の断面図を示している。
【００１８】
ヨーク８は、つぼ型の形状をしており、底部８ａと、その底部８ａに垂直な方向に延在する円筒状壁部８ｃとにより構成される。ヨーク８内の中空部分８ｂにはプレート１０とマグネット１２が収容される。マグネット１２は、前述したように振動板３を駆動するための磁界を発生させる。また、マグネット１２の上に配置されるプレート１０は、マグネット１２と接着され、マグネット１２と一体で磁気発生部として機能する。さらに、マグネット１２の底面はヨーク８とも接着される。ヨーク８に設けられたねじ穴９は、ヨーク８とマグネット１２とが確実に接着されているかどうかを確認する際の目視穴としての役割を有するとともに、スピーカ装置１に接続されるハーネス１７などを固定する固定部（図示しない）をねじ止めするためにも用いられる。
【００１９】
図２（ａ）に示したＡで示す領域の拡大図を図２（ｂ）に示す。図２（ｂ）は、下部フレーム４の底部の下端部４ａと、ヨーク８の底部８ｂの外周部８ｄを拡大した図である。外周部８ｄにはアール（Ｒ）が形成されている。即ち、外周部８ｄは、垂直及び水平方向の断面がともに円弧状となる面取りが施されている。本実施例では、下部フレーム４の底部の下端部４ａに、内周側、即ちヨーク８側に向かった切断面（カット面）を形成する。これにより、下部フレーム４にヨーク８を挿入する際、下部フレーム４とヨーク８との接触抵抗を低減することができる。したがって、スピーカ装置１の組み立て工程において、下部フレーム４に対するヨーク８の挿入をスムーズに行うことができる。
【００２０】
図３に、スピーカ装置１にハーネス１７を接続させた状態を示す。前述したように、下部フレーム４の外壁には、ボイスコイルに音声電流を供給するために２つの端子６が設けられている。アンプなどの外部の装置からコネクタ１９とハーネス１７を介してスピーカ装置１に音声電流が供給される。コネクタ１９は、アンプ側に接続されている図示しないコネクタに接続される。ハーネス１７は、複数の導線を束ねたものであり、樹脂などの絶縁体により被覆されている。ハーネス１７の先端部分で絶縁体を除去して導線１７ａを露出させ、これをスピーカ装置１の端子６に電気的に接続する。一般的に、端子６は金属材料で構成されており、ハーネス１７の導線１７ａの先端と端子６は半田付けにて固定される。端子６とハーネス１７とは、図３の斜線部１５で示す領域にて半田付けされる。
【００２１】
ここで、特にスピーカ装置１が小型である場合、ハーネス１７の先端が半田付けする端子６と、ヨーク８の側面との間隔を十分に設けることが難しい場合がある。よって、半田付けのために絶縁体の被覆を除去して露出させた導線１７ａの部分が長い場合には、その導線１７ａと、金属性のヨーク８の側面又は底面などとが接触して電気的にショートしてしまう恐れがある。
【００２２】
そこで、本発明においては、下部フレーム４を、ハーネス１７の導線１７ａの部分がヨーク８の側面や底面と接触しないように形成する。具体的には、図２及び図３に示すように、下部フレーム４の下端部４ａの位置Ｐ２が、ヨーク８の底面８ｅの位置Ｐ１よりも下方へ位置するように、下部フレーム４の垂直方向の長さを決定する。これにより、ヨーク８の側面のすべてが下部フレーム４に覆われ、ハーネス１７、特にハーネス１７の導線１７ａの部分とヨーク８との間には必ず絶縁体の下部フレーム４が介在することとなり、ハーネス１７の導線１７ａとヨーク８とが電気的にショートすることが防止できる。
【００２３】
また、本実施例では、図２（ｂ）に示すように、下部フレーム４の下端部４ａに内周方向へ向けた切断面４ｃを形成しているので、下部フレーム４の下端部４ａはその外周側の方が内周側よりもヨーク８の底部８ａから離隔した位置に存在することとなり、ハーネス１７がヨーク８とより接触しにくくなる。
【００２４】
図４に本発明のスピーカ装置１の他の実施例を示す。上述の実施例では、図２及び図３に示すように、下部フレーム４の下端部４ａが全周にわたってヨーク８の底面８ｅよりも下方に位置するように下部フレーム４が形成されている。しかし、ハーネス１７の導線１７ａの部分とヨーク８の側面又は底部とが接触する恐れがあるのは、ハーネス１７が存在する領域、即ち下部フレーム４の周方向のうち、端子６が形成されている領域のみである。そこで、図４の実施例では、下部フレーム４の周方向のうち、ハーネス１７が存在する領域、即ち端子６が形成されている領域のみにおいて下部フレーム４の下端部４ａがヨーク８の底面８ｅより下方まで延在するように下部フレーム４を形成する。つまり、ハーネス１７が存在しない領域では、下部フレーム４の下端部４ａはヨーク８の底面８ｅより上方で終わっていても構わない。この実施例によっても、ハーネス１７とヨーク８との間には必ず下部フレーム４が介在することとなるので、両者の導通を確実に防止することができる。
【００２５】
図５は本発明の他の実施例を示す。図５（ａ）は本実施例におけるヨーク及び下部フレームの断面図であり、図５（ｂ）は図５（ａ）の破線Ｂで示す部分の拡大図である。この実施例において、ヨーク８は鍛造により成形されており、図２の例と同様に、底部８aの外周部８ｄは所定のアール（Ｒ）が形成されている。即ち、外周部８ｄは、垂直及び水平方向の断面がともに円弧状となる面取りが施されている。下部フレーム４の下端部４ａは図２と同様にヨーク８側に向いた切断面４ｃが形成されている。そして、このアールが開始する円筒状壁部８ｃ側の始点位置Ｐ０は、下部フレーム４の下端部の位置Ｐ２より上方に位置するように設定されている。また、位置Ｐ２は底面８ｅの位置よりも上方に設定されている。
【００２６】
この実施例では、ヨーク８の底部８ａは下部フレーム４より下方に延びて露出しているが、底部８ａに形成されているアールは、ハーネス１７に対して離間するように成形されている。従って、下部フレーム４の下端部４ａの位置Ｐ２を下部フレーム４のアール始点位置Ｐ０より下方に位置するようにすればハーネス１７の導線１７ａとヨーク８とが電気的にショートすることが防止できる。
【図面の簡単な説明】
【００２７】
【図１】本発明の実施例に係るスピーカ装置の構成を示す図であり、図１（ａ）は真上から見た平面図、図１（ｂ）は側面図、図１（ｃ）は底面図を示す。
【図２】下部フレームと磁気回路部を示す図であり、図２（ａ）は断面図であり、図２（ｂ）は図２（ａ）のＡで示した領域の拡大図である。
【図３】本発明の実施例に係るスピーカ装置の下部フレームとヨークとの構成を示す図である。
【図４】本発明の他の実施例に係るスピーカ装置の下部フレームとヨークとの構成を示す図である。
【図５】本発明の他の実施例に係るスピーカ装置の断面図である。
【符号の説明】
【００２８】
１  スピーカ装置
２  上部フレーム
３  振動板
４  下部フレーム
６  端子
８  ヨーク
１０  プレート
１２  マグネット
１７  ハーネス
【図１】
2005159804.tif 000003
【図２】
2005159804.tif 000004
【図３】
2005159804.tif 000005
【図４】
2005159804.tif 000006
【図５】
2005159804.tif 000007